(57)【要約】【課題】ＤＡＢ信号に含まれる音声信号を記録し、また記録した音声信号を再生する場合、該音声信号に関連された補助情報である文字情報をタイミング良く表示させる。【解決手段】主音声信号および該主音声信号に関連づけられた補助文字信号とを多重化したデジタル放送を受信する受信部３と、該受信部により受信した主音声信号を複数のトラックに順次分割して記録し、受信した補助文字信号を前記複数のトラックにそれぞれ関連づけされた複数の補助領域に順次分割して記録する記録部４と、前記受信部３、記録部４を制御する制御部を備え、該制御部は、デジタル放送信号に含まれる補助文字信号の更新を表す信号を受信したとき、主音声信号を記録するトラックおよび補助文字信号を記録する補助領域をそれぞれ更新して前記主音声信号および補助文字信号を新たなトラックおよび補助領域に記録する。【選択図】図１
2007195030.tif 000002
【特許請求の範囲】
【請求項１】
主音声信号および該主音声信号に関連づけられた補助文字信号とを多重化したデジタル放送を受信する受信部と、
該受信部により受信した主音声信号を複数のトラックに順次分割して記録し、受信した補助文字信号を前記複数のトラックにそれぞれ関連づけされた複数の補助領域に順次分割して記録する記録部と、
前記受信部、記録部を制御する制御部を備え、
該制御部は、デジタル放送信号に含まれる補助文字信号の更新を表す信号を受信したとき、主音声信号を記録するトラックおよび補助文字信号を記録する補助領域をそれぞれ更新して前記主音声信号および補助文字信号を新たなトラックおよび補助領域に記録することを特徴とするデジタル放送記録装置。
【請求項２】
主音声信号および該主音声信号に関連づけられた補助文字信号とを多重化したデジタル放送を受信する受信部と、
該受信部により受信した主音声信号を複数のトラックに順次分割して記録し、受信した補助文字信号を前記複数のトラックにそれぞれ関連づけされた複数の補助領域に順次分割して記録する記録部と、
記録した主音声信号および補助文字信号を前記トラックおよび補助領域毎に再生する再生部と、
前記補助領域に記録した補助文字信号を表示する表示部と、
前記受信部、記録部、再生部および表示部を制御する制御部を備え、
該制御部は、デジタル放送信号に含まれる補助文字信号の更新を表す信号を受信したとき、主音声信号を記録するトラックおよび補助文字信号を記録する補助領域それぞれ更新して前記主音声信号および補助文字信号を新たなトラックおよび補助領域に記録することを特徴とするデジタル放送記録再生装置。
【請求項３】
主音声信号および該主音声信号に関連づけられた補助文字信号とを多重化したデジタル放送を受信する受信部と、
該受信部により受信した主音声信号を複数のトラックに順次分割して記録し、受信した補助文字信号を前記複数のトラックにそれぞれ関連づけされた複数の補助領域に順次分割して記録する記録部と、
記録した主音声信号および補助文字信号をトラックおよび補助領域毎に再生する再生部と、
前記補助領域に記録した補助文字信号を表示する表示部と、
前記受信部、記録部、再生部および表示部を制御する制御部を備え、
該制御部は、デジタル放送信号に含まれる補助文字信号の更新を表す信号を受信したとき、主音声信号を記録するトラックおよび補助文字信号を記録する補助領域をそれぞれ更新して前記主音声信号および補助文字信号を新たなトラックおよび補助領域に記録し、
再生に際しては、トラックに記録した主音声信号を記録した順に連続して再生するとともに、再生するトラックに関連づけされた補助領域に記録されている補助文字信号を前記表示部に表示することを特徴とするデジタル放送記録再生装置。
【発明の詳細な説明】
【技術分野】
【０００１】
本発明は、デジタル放送信号を記録し再生する技術に係り、特に主音声信号および該主音声信号に関連付けられた補助文字信号を多重化したデジタル放送を記録し再生する技術に関する。
【背景技術】
【０００２】
ＤＡＢ(Digital Audio Broadcasting)信号に代表されるようなデジタル放送信号は、デジタル信号の特徴を生かして、アナログ信号では実現することの難しいマルチパスあるいはフェージングの影響を受けにくい移動通信を実現することができる。また、同一周波数ネットワークを構成することが可能であり、周波数の効率的利用が可能となる。なお、前記ＤＡＢに関しては、欧州通信規格であるＥＴＳ(European Telecommunication Standard)におけるＥＴＳ３００４０１にて定められている。
【０００３】
図５は、前記ＤＡＢ信号の送信フレームの概略構成を説明する模式図である。図５に示すように、ＤＡＢでは、放送信号をフレーム単位で提供する。このフレームは、（１）フレームの同期信号としてのヌルシンボルおよび既知の値をもつ位相基準シンボルを備えた同期チャンネル、（２）多重構成情報やサービスの分類などの情報を、時間インターリーブを行わずに高速に受け渡しする高速情報チャンネル（ＦＩＣ：Fast Infbrmation Channel）、および（３）音声やデータなどのサービスをサブチャンネルに分割して時間インターリーブを施して形成したメイン・サービス・チャンネル（ＭＳＣ：Main Service Channel）を備える。
【０００４】
このＭＳＣでは、記録されている主音声信号の後ろにＰＡＤ(Program Associated Data)と呼ばれる補助信号領域が配置されている。このＰＡＤの一種としてＤＬＳ(Data Label Segment)がある。このＤＬＳは主信号である音声放送に関連した文字情報信号であり、特に放送している内容に関連した情報であることが多く、例えば、今放送している音楽の曲名やアーチスト名などの情報である。
【０００５】
図６は、図５に示すＤＬＳのフォーマットを説明する図である。ＤＬＳは、１度に最大１２８バイトのデータを送信することが可能となっている。図６に示すように、ＤＬＳは、Ｐｌｅｆｉｘ、Ｃｈａｒａｃｔｅｒ  ｆｉｅｌｄおよびＣＲＣ(cycle Redundancy Check)の３つの領域を備える。Ｃｈａｒａｃｔｅｒ  ｆｉｅｌｄには、音声放送に関連した１６文字以下の文字情報のデータを格納する。Ｐｌｅｆｉｘは、トグルビットＴ、Ｆｉｒｓｔ／ｌａｓｔ フラグ、Ｃフラグ、Ｆｉｅｌｄ１、Ｆｉｅｌｄ２、Ｒｆａの各領域を備える。
【０００６】
Ｆｉｒｓｔ／ｌａｓｔフラグは、送信されたＤＬＳのＣｈａｒａｃｔｅｒ  ｆｉｌｄに記録された文字情報のセグメントが文字情報としての文字の先頭部分であるか、最後尾部分であるか等を示すデータを備える。Ｆｉｅｌｄ２の領域は、Ｆｉｒｓｔ／ｌａｓｔフラグに記録されたデータがフラグ０を示す場合、Ｃｈａｒａｃｔｅｒ  ｆｉｌｄに含まれる文字情報が予め定めらた文字情報群であるキャラクターセットの中のどの種類のセットであるかを識別するためのデータであるＣｈａｒｓｅｔデータを備える。トグルビットＴは、送信されるデータが変化しない限り表示する文字情報を同じ状態に維持すること示すデータであり、トグルビットＴが異なるデータとなった場合は、表示する文字情報は次の異なる文字情報となる。
【０００７】
このため、デジタル放送を受信する受信装置においては、ＤＡＢ信号に含まれる音声信号を再生する際に、前記トグルビットが異なるデータとして送信される毎に文字情報を更新して表示することとなる。したがって、トグルビットが変化しない限り、受信装置で表示する文字情報は同じ状態で維持されることになり、トグルビットが変化したときのみ、表示する文字情報を更新して表示する。
【０００８】
これにより、デジタル放送を受信する従来の受信装置は、受信したＤＡＢ信号に含まれる音声信号を再生する場合、前記音声信号に関連された補助情報である文字情報をタイミング良く表示させることができる。
【０００９】
このように、ＤＬＳを含むＤＡＢ信号を受信する従来の放送受信装置としては、特許文献１に開示された放送受信装置がある。このような従来の放送受信装置では、文字情報を表示する表示部を備え、ＤＡＢ信号を受信する際にこのＤＡＢ信号に含まれるＤＬＳを読み取る。そして、このＤＬＳのＣｈａｒａｃｔｅｒ  ｆｉｅｌｄにある、音声放送に関連した１６文字以下の文字情報のデータを音声信号を再生するのと同時に表示部に表示させることができる。
【００１０】
放送局から送信されるＤＡＢ信号は、送信する音声信号に合わせて文字情報が更新されるようなＤＬＳを含むＤＡＢ信号として送信することにより、このＤＡＢ信号を受信する受信機は、音声信号を再生して出力する際に当該音声信号に関連された補助情報である文字情報をタイミング良く表示することができる。
【００１１】
一方、入力した音声信号をＭＤ(Mini Disc)等の光ディスクに記録し、また、この光ディスクに記録した音声信号を再生する光ディスク記録再生装置が知られている（例えば、特許文献２参照）。
【００１２】
使用者は、特許文献１に開示された放送受信装置によって受信したＤＡＢ信号の音声信号をＭＤに記録したいと希望する場合、特許文献１に開示された放送受信装置によって受信した音声信号を特許文献２に開示された光ディスク記録再生装置に入力し、この光ディスク記録再生装置によって前記受信したＤＡＢ信号に含まれる音声信号をＭＤに記録することになる。
【特許文献１】特開平１１−２８９２６７号公報
【特許文献２】特開２００４−１１８９５１号公報
【発明の開示】
【発明が解決しようとする課題】
【００１３】
しかしながら、前記ＤＡＢ信号のＤＬＳに含まれる文字情報は、受信した音声信号に関連した補助情報として、時間の経過とともに断続的に放送局から送信される信号である。このため、時間の経過にしたがって受信した前記文字情報は膨大な量となることがあり、このような膨大な情報を記録するための記録領域は前記ＭＤには通常設定されていない。
【００１４】
また、ＤＡＢ信号に含まれる音声信号と共に該音声信号に関連した補助信号である文字情報の信号を単にＭＤに記録し、記録した音声信号および文字情報を通常の光ディスク再生装置で再生する場合には、文字情報を音声信号に合わせてタイミング良く表示させることはできない。すなわち、前記ＤＡＢ信号を受信する受信装置を用いて音声信号を出力すると共に文字情報の信号を表示させる場合のように、前記音声信号に関連された補助情報である文字情報を音声信号に合わせてタイミング良く表示させることはできない。
【００１５】
例えば、放送局から送信されるＤＡＢ信号は、音声信号の出力が１０秒経過する毎に文字情報を更新して表示するように指示する信号であるとする。この場合、従来の光ディスク再生装置によってＤＡＢ信号に含まれる音声信号および文字情報をＭＤに記録しようとするには、音声信号を特定の音声トラック領域に記録すると共に文字情報を特定の記録領域、例えば、特定のトラックネーム領域等に記録することが考えられる。
【００１６】
しかしながら、このように特定の音声トラックに音声信号を記録すると共に特定のトラックネーム領域等に文字情報を記録したＭＤを通常の光ディスク再生装置で再生させた場合、音声信号の再生が開始すると同時にそれまでに記録した文字情報が一度に表示されてしまうこととなり、前記受信装置を用いて放送局から送信されるＤＡＢ信号を受信した場合のように、音声信号の出力が１０秒経過する毎に文字情報を新たな文字情報に更新して表示することはできない。
【００１７】
また、前記ＤＬＳに含まれる文字情報を記録したい場合は、受信装置から文字情報の信号を抽出し、この文字情報の信号をＭＤと別の記録媒体に記録することもできる。この場合は、受信した文字情報は、ＭＤ以外の記録媒体に記録されていることから、ＭＤに記録した音声信号を出力する際に前記音声信号に関連された補助情報である文字情報をタイミング良く表示させることができなくなる。また、この場合は、ＤＡＢ信号として受信した音声信号と文字情報を記録する際、音声信号と文字情報をそれぞれ別の記録媒体に記録する必要があり、この記録用の装置に多大なコストがかかることになる。
【００１８】
本発明は、これらの問題点に鑑みてなされたもので、ＤＡＢ信号に含まれる音声信号を記録し、また記録した音声信号を再生する場合、該音声信号に関連された補助情報である文字情報をタイミング良く表示させることができる記録・再生技術を提供するものである。
【課題を解決するための手段】
【００１９】
本発明は上記課題を解決するため、次のような手段を採用した。
【００２０】
主音声信号および該主音声信号に関連づけられた補助文字信号とを多重化したデジタル放送を受信する受信部と、該受信部により受信した主音声信号を複数のトラックに順次分割して記録し、受信した補助文字信号を前記複数のトラックにそれぞれ関連づけされた複数の補助領域に順次分割して記録する記録部と、前記受信部、記録部を制御する制御部を備え、該制御部は、デジタル放送信号に含まれる補助文字信号の更新を表す信号を受信したとき、主音声信号を記録するトラックおよび補助文字信号を記録する補助領域をそれぞれ更新して前記主音声信号および補助文字信号を新たなトラックおよび補助領域に記録する。
【発明の効果】
【００２１】
本発明は、以上の構成を備えるため、ＤＡＢ信号に含まれる音声信号を記録し、また記録した音声信号を再生する場合、該音声信号に関連された補助情報である文字情報をタイミング良く表示させることができる。
【発明を実施するための最良の形態】
【００２２】
以下、最良の実施形態を添付図面を参照しながら説明する。図１は、本発明の実施形態にかかるデジタル放送記録再生装置を説明する図である。
【００２３】
デジタル放送記録再生装置１は、アンテナ２、受信部３、記録再生部４、表示部５、出力端子６および操作部５０を備える。アンテナ２は、放送局から送信されるＤＡＢ信号を受信する。操作部５０は、放送局からの複数のＤＡＢ信号の内から希望する周波数のＤＡＢ信号を受信するための選択を行う。また、操作部５０は、受信部３が受信したＤＡＢ信号の音声信号および文字信号を記録再生部４に記録する指示を入力したり、記録媒体としてのＭＤに記録された音声信号および文字信号を再生する指示を入力する。
【００２４】
受信部３は、アンテナ２が受信したＤＡＢ信号の内、操作部５０の指示に応じた周波数のＤＡＢ信号について処理を行い、音声信号および文字信号を出力する。記録再生部４は、受信部３から出力された音声信号および文字信号をＭＤに記録する。また、記録再生部４は、記録された音声信号および文字信号を再生する。表示部５は、記録再生部４が再生した文字信号を文字情報として表示する。出力端子６は、記録再生部４が再生した音声信号を出力する。
【００２５】
図２は、受信部３の詳細を説明する図である。受信部３は、チューナ部７、直交復調部８、Ａ／Ｄ変換器９、ＦＦＴ（高速フーリエ変換器）１０、差動復調部１１、オーディオデコード部１２、Ｄ／Ａ変換器１３および制御用マイコン１４を備える。
【００２６】
アンテナ２で受信されたＤＡＢ信号のＲＦ信号はチューナ部７において中間周波信号に周波数変換されてＩＦ信号となる。ＩＦ信号は直交復調部８によりベースバンド信号に変換された後に、所定のサンプリング周波数でＡ／Ｄ変換器９によりＡ／Ｄ変換される。Ａ／Ｄ変換されたデジタルデータはＦＦＴ１０によってＦＦＴ（高速フーリエ変換）処理が施される。
【００２７】
ＦＦＴ処理されたデータは、差動復調部１１によって周波数デインターリーブ処理および差動復調処理を施した後、誤り訂正処理が行われる。
【００２８】
差動復調部１１によって復調された音声信号は、オーディオデコード部１２によってデコードされ、Ｄ／Ａ変換器１３によりアナログ信号に変換されて記録再生部４に出力される。また、制御用マイコン１４は、ＦＦＴ１０によって抽出された文字信号を記録再生部４に出力する。なお、前記ＤＡＢ信号のＭＳＣ領域をデコードすることにより、選択しているＤＡＢ信号のＤＬＳのＣｈａｒａｃｔｅｒ  ｆｉｅｌｄにある音声放送に関連した１６文字以下の文字情報のデータを得ることができる。
【００２９】
図３は、記録再生部４の詳細を説明する図である。記録再生部４は、スピンドルモータ１５、磁気ヘッド１６、光学ヘッド１７、ＲＦアンプ１８、サーボコントローラ１９、システムマイコン２０、信号処理部２１、メモリ２２、Ｄ／Ａ変換器２３、Ａ／Ｄ変換器２４および操作部５０を備える。なお、記録再生部４は、ＭＤに音声信号を記録する従来の光ディスク記録再生装置と同様の構成を備える。
【００３０】
記録再生部４は、受信部３のＤ／Ａ変換器１３から出力された音声信号をＡ／Ｄ変換器２４でＡ／Ｄ変換して信号処理部２１に出力する。また、信号処理部２１は、受信部３の制御用マイコン１４から出力された文字信号を入力する。
【００３１】
システムマイコン２０は、表示部５、サーボコントローラ１９および信号処理部２１を制御する。また、メモリ２２は、信号処理部２１が入力した音声信号を一時的に記憶し、システムマイコン２０の制御に応じて記憶した音声信号を磁気ヘッド１６に出力する。
【００３２】
記録再生部４は、操作部５０からの記録指示により、スピンドルモータ１５を駆動してＭＤを回転させる。同時に記録媒体であるＭＤに光学ヘッド１７からレーザ光を照射するとともに記録データに応じた変調磁界を磁気ヘッド１６を介してＭＤに印加する。これによりＭＤにデータを記録することができる。
【００３３】
ＭＤには、音声信号を記録する領域（トラック）以外に、各トラック毎にそれに関連づけされた補助領域としてトラックネーム領域が存在する。このトラックネーム領域には利用者がトラック名などを任意に記録することが可能である。
【００３４】
記録再生部４は、操作部５０からの記録指示により、受信部３から出力された音声信号をＭＤの特定のトラックに記録すると共に、受信部３から出力された文字信号を前記特定トラックに関連づけられたトラックネーム領域に記録する。
【００３５】
また、記録再生部４は、操作部５０からの再生指示により、ＭＤに記録された音声信号を記録されたトラック番号の順に再生すると共に、再生しているトラックに関連づけられたトラックネーム領域に記録されている文字信号を表示部５に出力する。表示部５は、記録再生部４から出力された文字信号を文字情報として表示する。
【００３６】
なお、トラック名をＭＤのトラックネーム領域に記録する光ディスク再生装置の構成については、特開２００４−１１８９５１号公報に開示されている。
【００３７】
図４は、デジタル放送記録再生装置１によって受信したＤＡＢ信号に含まれる音声信号および文字信号をＭＤに記録する過程を説明する図である。先ず、操作部５０を操作してＤＡＢ信号に含まれる音声信号および文字情報を読み取り、ＭＤへの記録を開始する。記録再生部４は、読み取った前記音声信号をＭＤの音声記録領域を複数に分割した領域の１つである第１トラックに記録する。また、読み取った前記文字情報を前記第１トラックに関連づけされた領域である、第１トラックのトラックネーム領域に記録する。
【００３８】
そして、システムマイコン２０は、受信部３が受信したＤＡＢ信号中の図６に示すＤＬＳのトグルビットＴが変化したか否かを監視する（ＳＴＥＰ１）。
【００３９】
前記トグルビットＴの変化は補助情報であるＤＬＳの文字情報のデータが更新されたことを意味する。このため、トグルビットＴの変化のタイミングで音声信号を記録するＭＤのトラック番号をインクリメントして、第２トラックとする（ＳＴＥＰ２）。
【００４０】
これにより、第２トラックに音声信号が記録され、同時に第２トラックのトラックネーム領域に読み取った文字情報が記録される（ＳＴＥＰ３）。
【００４１】
この後、ＳＴＥＰ１に戻り、引き続き記録再生部４は音声信号をＭＤの第２トラックに記録すると共に第２トラックのトラックネーム領域に受信部３が受信した文字情報を記録する。この間、システムマイコン２０は、受信したＤＡＢ信号のＤＬＳのトグルビットＴが変化したか否かを監視し、変化を検知した場合はＳＴＥＰ２に進む。
【００４２】
このように、本実施形態にかかるデジタル放送記録再生装置１は、受信した音声信号をＭＤの音声記録領域を複数に分割して得られる各トラックに順次記録するとともに、読み取った文字情報を前記各トラックに関連づけされたトラックネーム領域に順次記録する。
【００４３】
また、ＭＤを再生する場合には、ＭＤに記録された音声信号は前記トラック番号順に連続して再生されると共に、再生するトラック番号に関連づけられたトラックネーム領域に記録されている文字情報はトラック番号順に更新して表示部５に表示されることになる。
【００４４】
すなわち、ＤＡＢ信号が記録されたＭＤを本実施形態のデジタル放送記録再生装置１によって再生する場合、従来のＤＡＢ信号の受信装置が音声信号の出力と共に表示部に文字情報を表示するのと同様に、受信したＤＡＢ信号のＤＬＳのトグルビットＴが変更される毎に、文字情報が更新されて表示部５に表示されることとなる。このため、記録した音声信号を再生する場合、当該音声信号に関連づけられた補助情報である文字情報をタイミング良く表示させることができる。
【００４５】
以上説明したように、本実施形態のデジタル放送記録再生装置１は、ＤＡＢ信号として受信した音声信号を記録すると共に補助情報である文字情報をＭＤに記録することが可能となる。更に、記録した音声信号を再生する場合、前記音声信号に関連づけられた補助情報である文字情報をタイミング良く表示させることができる。また、本実施形態のデジタル放送記録再生装置１によってＤＡＢ信号の放送をＭＤに記録した場合は、記録したＭＤを他の光ディスク再生装置によって再生することができる。この場合は、ＭＤに記録した音声信号を、例えばトラック番号順に連続して再生させることにより、前記音声信号に関連された補助情報である文字情報を前記音声信号に同期してタイミング良く表示させることができる。
【図面の簡単な説明】
【００４６】
【図１】本発明の実施形態にかかるデジタル放送記録再生装置を説明する図である。
【図２】受信部３の詳細を説明する図である。
【図３】記録再生部４の詳細を説明する図である。
【図４】デジタル放送記録再生装置１によって受信したＤＡＢ信号に含まれる音声信号および文字信号をＭＤに記録する過程を説明する図である。
【図５】ＤＡＢ信号の送信フレームの概略構成を説明する模式図である。
【図６】図５に示すＤＬＳのフォーマットを説明する図である。
【符号の説明】
【００４７】
１  デジタル放送記録再生装置
２  アンテナ  
３  受信部
４  記録再生部  
５  表示部  
６  出力端子
７  チューナ部
８  直行復調部
９，２４  Ａ／Ｄ変換器
ｌ０  ＦＦＴ
ｌｌ  差動復調部
１２  オーディオデコード部
１３，２３  Ｄ／Ａ変換器
１４  制御用マイコン
１５  スピンドルモータ
１６  磁気ヘッド
１７  光学ヘッド
１８  ＲＦアンプ
１９  サーボコントローラ
２０  システムマイコン
２１  信号処理部
２２  メモリ
５０  操作部    
【図１】
2007195030.tif 000003
【図２】
2007195030.tif 000004
【図３】
2007195030.tif 000005
【図４】
2007195030.tif 000006
【図５】
2007195030.tif 000007
【図６】
2007195030.tif 000008